(57)【要約】【課題】複数の撮像手段を用いて狭い範囲の画像と広い範囲の画像を個別に表示する場合に、ズーム操作に応じて複数の撮像手段用いて取得した狭い範囲の画像の表示サイズと広い範囲の画像の表示サイズとを連動させて各表示サイズを変動すること。【解決手段】デジタルズームレンズにより取得した映像と光学ズームレンズにより取得した映像とをそれぞれ表示可能な撮像装置が、１つの画面にデジタルズームレンズにより取得した映像を表示し、表示する映像の一部の撮影領域に光学ズームレンズにより取得した一部の撮影領域で取得される映像と撮影領域が等しい映像を１つの画面に表示し、テレ側への光学ズームレンズへのズーム指示を受け付けた場合には表示する１つの画面の中で、光学ズームレンズにより取得した一部の撮影領域内の映像が表示される領域を縮小してデジタルズームレンズにより取得した一部の撮影領域外の映像が表示される領域を拡大して表示する。【選択図】  図４
2016066978.tif 000002
【特許請求の範囲】
【請求項１】
デジタルズームレンズにより取得した映像と、光学ズームレンズにより取得した映像とをそれぞれ表示可能な撮像装置であって、
１つの画面にデジタルズームレンズにより取得した映像を表示し、前記表示する映像の一部の撮影領域に、光学ズームレンズにより取得した前記一部の撮影領域で取得される映像と撮影領域が等しい映像を１つの画面に表示する表示制御手段と、
光学ズームレンズへのズーム指示を受け付ける第１の受付手段と、
テレ側への前記ズーム指示を受け付けた場合には、前記表示制御手段が表示する１つの画面の中で、光学ズームレンズにより取得した一部の撮影領域内の映像が表示される領域を縮小して、デジタルズームレンズにより取得した一部の撮影領域外の映像が表示される領域を拡大して表示する領域調整手段と、
を備えることを特徴とする撮像装置。
【請求項２】
前記第１の受付手段によりワイド側への前記ズーム指示を受け付けた場合には、前記領域調整手段が、前記１つの画面の中で、光学ズームレンズにより取得した一部の撮影領域内の映像が表示される領域を拡大して、デジタルズームレンズにより取得した一部の撮影領域外の映像が表示される領域を縮小して表示することを特徴とする請求項１に記載の撮像装置。
【請求項３】
デジタルズームレンズへのズーム指示を受け付ける第２の受付手段をさらに備え、
前記第２の受付手段によりワイド側への前記ズーム指示を受け付けた場合には、前記領域調整手段が、前記１つの画面の中で、光学ズームレンズにより取得した一部の撮影領域内の映像が表示される領域を縮小して、デジタルズームレンズにより取得した一部の撮影領域外の映像が表示される領域を拡大して表示することを特徴とする請求項１または請求項２に記載の撮像装置。
【請求項４】
前記第２の受付手段によりテレ側への前記ズーム指示を受け付けた場合には、前記領域調整手段が、前記１つの画面の中で、光学ズームレンズにより取得した一部の撮影領域内の映像が表示される領域を拡大して、デジタルズームレンズにより取得した一部の撮影領域外の映像が表示される領域を縮小して表示することを特徴とする請求項３に記載の撮像装置。
【請求項５】
前記表示する映像の撮影指示を受け付ける撮影指示受付手段と、
前記撮影指示を受け付けた場合には、前記光学ズームレンズにより取得した一部の撮影領域内の映像を撮影する撮影手段と、
をさらに備えることを特徴とする請求項１乃至請求項４のいずれか１項に記載の撮像装置。
【請求項６】
前記デジタルズームレンズにより取得した一部の撮影領域外の映像から、前記光学ズームレンズにより取得した一部の撮影領域内の映像に被写体が移動したか否かを判断する移動判断手段と、
前記移動判断手段により被写体が移動したと判断された場合に、前記光学ズームレンズにより取得した一部の撮影領域内の前記移動した被写体を含む映像を前記１つの画面に全画面表示されるように制御する全画面表示制御手段と、
をさらに備えることを特徴とする請求項１乃至請求項５のいずれか１項に記載の撮像装置。
【請求項７】
デジタルズームレンズにより取得した映像と、光学ズームレンズにより取得した映像とをそれぞれ表示可能な撮像装置の制御方法あって、
前記撮像装置の表示制御手段が、１つの画面にデジタルズームレンズにより取得した映像を表示し、前記表示する映像の一部の撮影領域に、光学ズームレンズにより取得した前記一部の撮影領域で取得される映像と撮影領域が等しい映像を１つの画面に表示する表示制御工程と、
前記撮像装置の第１の受付手段が、光学ズームレンズへのズーム指示を受け付ける第１の受付工程と、
前記撮像装置の領域調整手段が、テレ側への前記ズーム指示を受け付けた場合には、前記表示制御工程において表示する１つの画面の中で、光学ズームレンズにより取得した一部の撮影領域内の映像が表示される領域を縮小して、デジタルズームレンズにより取得した一部の撮影領域外の映像が表示される領域を拡大して表示する領域調整工程と、
を含むことを特徴とする制御方法。
【請求項８】
デジタルズームレンズにより取得した映像と、光学ズームレンズにより取得した映像とをそれぞれ表示可能な撮像装置で読み取り実行可能なプログラムであって、
前記撮像装置を、
１つの画面にデジタルズームレンズにより取得した映像を表示し、前記表示する映像の一部の撮影領域に、光学ズームレンズにより取得した前記一部の撮影領域で取得される映像と撮影領域が等しい映像を１つの画面に表示する表示制御手段と、
光学ズームレンズへのズーム指示を受け付ける第１の受付手段と、
テレ側への前記ズーム指示を受け付けた場合には、前記表示制御手段が表示する１つの画面の中で、光学ズームレンズにより取得した一部の撮影領域内の映像が表示される領域を縮小して、デジタルズームレンズにより取得した一部の撮影領域外の映像が表示される領域を拡大して表示する領域調整手段と、
して機能させることを特徴とするプログラム。
【発明の詳細な説明】
【技術分野】
【０００１】
本発明は、撮像装置、その制御方法とプログラムの技術に関する。
【背景技術】
【０００２】
近年、カメラのズーム性能は向上し、より遠方のものをより鮮明に撮影できるようになった。しかしながら、望遠で撮影する場合には画角は狭くなるので、望遠で撮影する場合には撮影時に被写体を見失わないための工夫が必要となっている。
【０００３】
特許文献１には、撮像系を複数搭載し、一つを、実際に撮影を行う撮像光学系とし、もう一つを確認用の広範囲表示撮像系とした複数の撮像手段を有する高倍率撮影時の標的認識システムに関する技術が開示されている。
【０００４】
特許文献２には、電子ズームした場合に、電子ズームで得られた画像を切り出して内側にズーム範囲のズーム画像を表示して、その周囲に周囲画像を表示するアシスト画像に関する技術が開示されている。
【０００５】
しかしながら特許文献１または特許文献２の技術では、複数の撮像手段を用いて狭い範囲の画像と広い範囲の画像を個別に表示する場合に、ズーム操作に応じて、複数の撮像手段用いて取得した狭い範囲の画像の表示サイズと広い範囲の画像の表示サイズとを連動させて、各表示サイズを変動することはできない。
【先行技術文献】
【特許文献】
【０００６】
【特許文献１】特開２０１１−８５８７７号公報
【特許文献２】特開２０１２−６５１７３号公報
【発明の概要】
【発明が解決しようとする課題】
【０００７】
本発明は、複数の撮像手段を用いて狭い範囲の画像と広い範囲の画像を個別に表示する場合に、ズーム操作に応じて、複数の撮像手段用いて取得した狭い範囲の画像の表示サイズと広い範囲の画像の表示サイズとを連動させて、各表示サイズを変動することが可能な仕組みを提供することを目的とする。
【課題を解決するための手段】
【０００８】
本発明は、デジタルズームレンズにより取得した映像と、光学ズームレンズにより取得した映像とをそれぞれ表示可能な撮像装置であって、１つの画面にデジタルズームレンズにより取得した映像を表示し、前記表示する映像の一部の撮影領域に、光学ズームレンズにより取得した前記一部の撮影領域で取得される映像と撮影領域が等しい映像を１つの画面に表示する表示制御手段と、光学ズームレンズへのズーム指示を受け付ける第１の受付手段と、テレ側への前記ズーム指示を受け付けた場合には、前記表示制御手段が表示する１つの画面の中で、光学ズームレンズにより取得した一部の撮影領域内の映像が表示される領域を縮小して、デジタルズームレンズにより取得した一部の撮影領域外の映像が表示される領域を拡大して表示する領域調整手段と、を備えることを特徴とする。
【０００９】
また、前記第１の受付手段によりワイド側への前記ズーム指示を受け付けた場合には、前記領域調整手段が、前記１つの画面の中で、光学ズームレンズにより取得した一部の撮影領域内の映像が表示される領域を拡大して、デジタルズームレンズにより取得した一部の撮影領域外の映像が表示される領域を縮小して表示することを特徴とする。
【００１０】
また、デジタルズームレンズへのズーム指示を受け付ける第２の受付手段をさらに備え、前記第２の受付手段によりワイド側への前記ズーム指示を受け付けた場合には、前記領域調整手段が、前記１つの画面の中で、光学ズームレンズにより取得した一部の撮影領域内の映像が表示される領域を縮小して、デジタルズームレンズにより取得した一部の撮影領域外の映像が表示される領域を拡大して表示することを特徴とする。
【００１１】
また、前記第２の受付手段によりテレ側への前記ズーム指示を受け付けた場合には、前記領域調整手段が、前記１つの画面の中で、光学ズームレンズにより取得した一部の撮影領域内の映像が表示される領域を拡大して、デジタルズームレンズにより取得した一部の撮影領域外の映像が表示される領域を縮小して表示することを特徴とする。
【００１２】
また、前記表示する映像の撮影指示を受け付ける撮影指示受付手段と、前記撮影指示を受け付けた場合には、前記光学ズームレンズにより取得した一部の撮影領域内の映像を撮影する撮影手段と、をさらに備えることを特徴とする。
【００１３】
また、前記デジタルズームレンズにより取得した一部の撮影領域外の映像から、前記光学ズームレンズにより取得した一部の撮影領域内の映像に被写体が移動したか否かを判断する移動判断手段と、前記移動判断手段により被写体が移動したと判断された場合に、前記光学ズームレンズにより取得した一部の撮影領域内の前記移動した被写体を含む映像を前記１つの画面に全画面表示されるように制御する全画面表示制御手段と、をさらに備えることを特徴とする。
【発明の効果】
【００１４】
本発明により、複数の撮像手段を用いて狭い範囲の画像と広い範囲の画像を個別に表示する場合に、ズーム操作に応じて、複数の撮像手段用いて取得した狭い範囲の画像の表示サイズと広い範囲の画像の表示サイズとを連動させて、各表示サイズを変動することが可能な仕組みを提供することが可能となる。
【図面の簡単な説明】
【００１５】
【図１】本発明の撮像装置のハードウェア構成図の一例を示す図である。
【図２】本発明の実施形態における全体的な表示画面の遷移を示す図である。
【図３】本発明の実施形態における全体的な処理の流れを示す図である。
【図４】本発明の実施形態における第１の撮像手段（光学ズームレンズ）でのズーム操作を行う際に表示される画面の遷移と、その時の処理の流れを示す図である。
【図５】本発明の実施形態における第２の撮像手段（デジタルズームレンズ）でのズーム操作を行う際に表示される画面の遷移と、その時の処理の流れを示す図である。
【図６】本発明の実施形態における、ユーザが撮影したい被写体を選択する場合の操作例を示す図である。
【図７】本発明の実施形態におけるシャッターボタンが押下される際の処理の流れを示す図である。
【図８】本発明の実施形態における全体的な処理の流れ（第２の実施例）を示す図である。
【図９】本発明の実施形態における被写体を捕捉した時に自動で撮影する際の処理の流れを示す図である。
【発明を実施するための形態】
【００１６】
以下、図面を参照して、本発明の実施形態を詳細に説明する。
図１を説明する。
【００１７】
図１の上図は、本発明の実施形態に係る撮像装置１００の一例として主に静止画を撮影するデ一眼レフデジタルカメラを示した図である。尚、撮像装置１００は主に動画を撮影するデジタルビデオカメラでもあってもよい。
【００１８】
本発明での第２の撮像手段である撮影レンズ１０００は、第２の撮像素子（図示しない）内の所望の領域を画角として切り出すことで、拡大された画像を撮影可能なデジタルズームレンズである。撮影レンズ１０００は、第２の撮像素子の撮像面上に被写体を結像する。第２の撮像素子は、撮像面上に結像された被写体像の光強度に応じた電気信号を出力する光電変換撮像素子であり、ＣＣＤ型やＭＯＳ型の個体撮像素子が用いられる。第２の撮像素子からのアナログ映像信号は、Ａ／Ｄ変換器１６に入力され、アナログ信号からデジタル信号に変換される。Ａ／Ｄ変換されたデジタル信号は、ガンマ補正、ホワイトバランス補正などの種々の画像処理が画像処理部２０で施される。
図１の下図は、本発明の実施形態に係る撮像装置１００の一例として一眼レフデジタルカメラを用いて、他の主な機能構成を示したブロック図である。
【００１９】
本発明での第１の撮像手段である撮影レンズ１０は、その焦点距離を連続的に変えるためのズームレンズと、ピントを調整するフォーカスレンズとから構成されている。これらのレンズは、ズーム制御部４４、測距制御部４２により駆動される。撮影レンズ１０は、撮像素子１４の撮像面上に被写体を結像する。撮像素子１４は、撮像面上に結像された被写体像の光強度に応じた電気信号を出力する光電変換撮像素子であり、ＣＣＤ型やＭＯＳ型の個体撮像素子が用いられる。
【００２０】
絞り１２は、露光制御部４０により稼働される。撮像素子１４からのアナログ映像信号は、Ａ／Ｄ変換器１６に入力され、アナログ信号からデジタル信号に変換される。Ａ／Ｄ変換されたデジタル信号は、ガンマ補正、ホワイトバランス補正などの種々の画像処理が画像処理部２０で施される。画像表示メモリ２４は、撮像素子１４で撮像された複数フレーム分のデータを記憶することができるメモリである。画像処理された画像データは、画像表示メモリ２４に一時記憶される。
【００２１】
システム制御部１１２は、露光制御部４０やカメラ姿勢検知部１０６等と接続され、カメラが動作する際のシーケンス制御を行う。システム制御部１１２には、カメラの電源をオン／オフする電源スイッチ７２、レリーズに連動して、設定されたシャッタースピード値でシャッターが開閉するシャッタースイッチ６２及び全押しスイッチ６４、表示部５４に表示されるカメラを撮影する際の各種メニュー内容を選択するための操作部７０が設けられている。被写体輝度が低い場合には、フラッシュ４８を発光させる。なお、画像表示部２８と表示部５４を同一の構成としてもよい。また、本実施の形態における画像表示部２８（表示部５４）は、タッチパネル機能を有しており、ユーザによりタッチされた位置を特定することが可能となっている。このタッチパネル機能で必要なタッチ検出機構は画像表示部２８（表示部５４）に備えているものとして説明する。なお、タッチパネル機能自体は既知の技術であり、詳細な説明は省略する。
【００２２】
画像表示メモリ２４に記憶された画像データは、画像処理部２０で変換された画像データの他に被写体の顔などの特徴位置を求めるフォーカス情報または固定位置に配置されたピント確認位置とピントが一致した場所の情報やカメラ姿勢検知部１０６の情報などの影情報も一緒に記憶される。画像表示メモリ２４に記憶されたデータは、メモリカード等の記憶媒体２００，２１０（記録部２００、２１０）に記録される。画像データを記憶媒体２００，２１０に記録する際には、一般的に所定の圧縮形式、例えばＪＰＥＧ方式でデータ圧縮が行われる。圧縮伸長部３２は、画像データや撮影情報を記憶媒体２００，２１０に記録する際のデータ圧縮、及び記憶媒体２００，２１０から圧縮された画像データの伸長処理を行う。記憶媒体２００は、例えばコンパクトフラッシュ（登録商標）、メモリカード、ＳＤメモリカードのことである。
【００２３】
不揮発性メモリ５６は記憶されたデータ等を電気的に消去・記録可能な不揮発性メモリであり、例えばＥＥＰＲＯＭ等が用いられる。メモリ５２はシステム制御回路５０の動作用の定数、変数、プログラム等を記憶するメモリである。通信部は、通信機能を有する。
【００２４】
アンテナ（有線通信の場合はコネクタ）１１１は、通信部によりデジタルカメラを、パケット網、ネットワーク、インターネットを介して他の機器と接続する。コネクタ８２，８４は、電源制御部８０と電源８６とを接続する接続部である。電源８６は、アルカリ電池やリチウム電池等の一次電池、ＮｉＣｄ電池やＮｉＭＨ電池、Ｌｉ電池等の二次電池、ＡＣアダプター等からなる。
【００２５】
画像表示メモリ２４に書き込まれた表示用の画像データはＤ／Ａ変換回路２６を介して画像表示部２８により表示される。画像データを画像表示部２８に逐次表示することで、電子ファインダ機能を実現することが可能である。光学ファインダ１０４は、画像表示部２８による電子ファインダ機能を使用することなしに、光学ファインダのみを用いて撮影を行うことが可能である。
【００２６】
タイミング発生回路１８は、メモリ制御部２２及びシステム制御部１１２により制御される。メモリ３０は撮影した静止画像や動画像を格納するためのメモリである。バリア制御部４６は保護部１０２の動作を制御する。モードダイアルスイッチ６０は、電源オフ、自動撮影モード、撮影モード、パノラマ撮影モード、動画撮影モード、再生モード、マルチ画面再生・消去モード、ＰＣ接続モード等の各機能モードを切り替え設定することができる。再生モードスイッチ６６は、本実施の形態で説明している画像再生処理を実行させるためのモードスイッチである。姿勢モードスイッチ６８は、カメラを縦位置で撮影しているか横位置で撮影しているかを自動的に判断するスイッチである。
【００２７】
記憶媒体２００は、半導体メモリや磁気ディスク等から構成される記録部２０２と、デジタルカメラとの間のインターフェースであるＩ／Ｆ２０４と、デジタルカメラと接続を行うコネクタ２０６とを備える。記憶媒体２１０は、半導体メモリや磁気ディスク等から構成される記録部２１２と、デジタルカメラとの間のインターフェースであるＩ／Ｆ２１４と、デジタルカメラと接続を行うコネクタ２１６とを備える。Ｉ／Ｆ９０，９４はメモリカードやハードディスク等の記憶媒体２００，２１０とシステムバスとを接続するインターフェースである。コネクタ９２，９６は、メモリカードやハードディスク等の記憶媒体２００，２１０とＩ／Ｆ９０，９４とを接続する接続部である。記憶媒体着脱検知手段９８は、コネクタ９２，９６に記憶媒体２００，２１０が装着されているか否かを検知するセンサである。
【００２８】
画像データエリアには、オリジナルの画像が格納されている。画像データは、所定の圧縮形式、例えば、ＪＰＥＧ方式でデータ圧縮がなされているが、これに限定されるものではない。記憶装置５６には、圧縮・伸長を行うソフトウェアが記憶されており、ＲＡＭ５２に取り込んだ撮影情報を含む画像データの圧縮や圧縮された画像データの伸長処理を行う。
図２を説明する。
【００２９】
図２は、本発明の実施形態を表すために撮像装置１００のシステム制御部１１２または図示しない撮像装置１００のＣＰＵが実行する全体的な表示画面３００の遷移を示すである。
【００３０】
（１）の表示画面では、光学ズームレンズへのズームアップを操作する前のライブビュー映像（スルー画像）が表示されている状態を示したものである。ここで全画面表示されている映像は、第１の撮像手段で撮影された映像３０１となっている。
尚、（１）に示す表示制御は図２のステップＳ１０４での処理にて行われる。
【００３１】
（２）の表示画面では、光学ズームレンズへのズームアップを操作した後のライブビュー映像が表示されている状態を示したものである。ここでは第２の撮像手段で得られた映像３０３を境界枠３０２の外側に表示し、さらに第１の撮像手段で得られた映像３０１を境界枠３０２の内側に表示している。さらに第２の撮像手段で撮影された映像の表示範囲の間との第１の撮像手段で撮影された映像の表示範囲の間には境界枠３０２が表示されている状態を示したものである。
【００３２】
つまりこの状態では、１つの画面にデジタルズームレンズにより取得した映像３０３を表示し、表示する映像３０３の一部の撮影領域３０２の内側に、光学ズームレンズにより取得した一部の撮影領域で取得される映像と撮影領域（画角）が等しい映像３０１を１つの画面３００に表示している（表示制御手段）。このように境界枠３０２の外側にはズームアップ操作する前の映像を、第２の撮像手段で得られた映像３０３で表示し、境界枠３０２の内側にはズームアップ操作した後の映像を、第１の撮像手段で得られた映像３０１で表示することで、光学ズームレンズへのズームアップを操作した後でも、その周囲の映像３０３もライブビュー映像にて確認することができる。
尚、（２）に示す表示制御は図２のステップＳ１０５での処理にて行われる。
【００３３】
（３）の表示画面では、（２）の表示画面の状態から時間が経過して、第２の撮像手段で得られた映像３０３内に被写体（自動車）が移動してきたことで、被写体が新しく検知された状態を示したものである。なお、新しく検知された被写体には被写体枠３０４が表示されている。
尚、（３）に示す表示制御は図２のステップＳ１０７での処理にて行われる。
【００３４】
（４）の表示画面では、（３）の表示画面の状態からさらに時間が経過して、第１の撮像手段で得られた映像３０１内に被写体（自動車）が移動してきたことで、被写体が境界枠３０２の内側にあることが認識された状態を示したものである。
【００３５】
つまりここでは、デジタルズームレンズにより取得した一部の撮影領域外の映像から、光学ズームレンズにより取得した一部の撮影領域内の映像に被写体が移動したか否かを判断している（移動判断手段）。
ここで全画面表示されている映像は第１の撮像手段で撮影された映像３０１に自動で切り替わっている。
【００３６】
つまり、移動判断手段により被写体が移動したと判断された場合には、光学ズームレンズにより取得した一部の撮影領域内の移動した被写体を含む映像を１つの画面に全画面表示されるように制御している（全画面表示制御手段）。
【００３７】
さらに、この時には光学ズームレンズへのズームアップを操作した後のままで光学ズームレンズのズーム位置をユーザ所望の位置に既に設定済であるので、ここで第１の撮像手段で得られた映像３０１を記録したい場合にはズーム位置を固定したまま画角が安定した状態で記録することもできる。
尚、（４）に示す表示制御は図２のステップＳ１０４での処理にて行われる。
図３を説明する。
【００３８】
図３は、本発明の実施形態を表すために撮像装置１００のシステム制御部１１２または図示しない撮像装置１００のＣＰＵが実行する全体的な処理の流れを示すフローチャートである。
なお、図３のフローチャートは、図３のフローチャートの実行許可が設定されている場合にのみ実行される。
【００３９】
ステップＳ１０１で撮像装置１００は、（１）の表示画面で、光学ズームレンズへのズームアップを操作する前のライブビュー映像（スルー画像）が表示されている状態において、第２の撮像手段へのズーム操作または、第１の撮像手段へのズーム操作の何れか１つのズーム操作が指示されているか否かを判定する。ズーム操作が指示されている（はい）と判断された場合にはステップＳ１０２に進み、ズーム操作が指示されていいない（いいえ）と判断された場合にはステップＳ１０４に進む。
ステップＳ１０２で撮像装置１００は、まず第２の撮像手段の画角が第１の撮像手段の画角と同じになるように第２の撮像手段のズーム設定を自動調整する。
【００４０】
次にテレ側へのズーム操作後の第１の撮像手段ズームアップ量（例えば２倍）を取得し、ズーム操作前の第１の撮像手段ズーム量（例えば１倍）と比較することで、１つの画面にデジタルズームレンズにより取得した映像３０３を表示し、表示する映像３０３の一部の撮影領域３０２の内側に、光学ズームレンズにより取得した一部の撮影領域で取得される映像と撮影領域（画角）が等しい映像３０１を表示する範囲を、第１の撮像手段のテレ側へのズーム操作前後の相対比を用いて計算する。
【００４１】
あるいは、ワイド側へのズーム操作後の第２の撮像手段ズームダウン量（例えば０．５倍）を取得し、ズーム操作前の第２の撮像手段ズーム量（例えば１倍）と比較することで、１つの画面にデジタルズームレンズにより取得した映像３０３を表示し、表示する映像３０３の一部の撮影領域３０２の内側に、光学ズームレンズにより取得した一部の撮影領域で取得される映像と撮影領域（画角）が等しい映像３０１を表示する範囲を、第２の撮像手段のワイド側へのズーム操作前後の相対比を用いて計算する。
なお、ステップＳ１０２で行う詳細な処理の流れを図４及び図５にて説明する。
【００４２】
ステップＳ１０３で撮像装置１００は、第１の撮像手段の撮影範囲内で被写体となるものが検知されたか否かを判定する。被写体となるものが第１の撮像手段の撮影範囲内で検知された（はい）と判断された場合にはステップＳ１０４に進み、第１の撮像手段の撮影範囲に被写体となるものが検知されなかった（いいえ）と判断された場合にはステップＳ１０５に進む。
【００４３】
つまり、被写体となるものが第１の撮像手段の撮影範囲内で検知された（はい）と判断された場合とは、前述したように第１の撮像手段で得られた映像３０１内に被写体（自動車）が移動してきた状態である。
ステップＳ１０４で撮像装置１００は、表示画面に第１の撮像手段の映像を全画面表示する。
【００４４】
ステップＳ１０５で撮像装置１００は、画面に第２の撮像手段の映像と、ステップＳ１０２で計算した第１の撮像手段の撮影範囲を表す境界枠３０２を表示する。
【００４５】
ステップＳ１０６で撮像装置１００は、第２の撮像手段の範囲内に被写体となるものが検知されたか否かを判定する。被写体となるものが第２の撮像手段の撮影範囲内に検知された（はい）と判断された場合にはステップＳ１０７に進み、第２の撮像手段の撮影範囲に被写体となるものが検知されなかった（いいえ）と判断された場合にはステップＳ１０８に進む。
【００４６】
つまり、被写体となるものが第２の撮像手段の撮影範囲内に検知された（はい）と判断された場合とは、前述したように第２の撮像手段で得られた映像３０３内に被写体（自動車）が移動してきた状態である。
ステップＳ１０７で撮像装置１００は、ステップＳ１０６で新しく検知された被写体の周囲に被写体枠３０４を表示する。
【００４７】
ステップＳ１０８で撮像装置１００は、現在、動画の記録中（撮影中）であるか否かを判定する。現在既に動画の記録中である（はい）と判断された場合にはステップＳ１０９に進み、現在は動画の記録中ではない（いいえ）と判断された場合にはステップＳ１１０に進む。
ステップＳ１０９で撮像装置１００は、第１の撮像手段の映像の記録を継続する。
【００４８】
ステップＳ１１０で撮像装置１００は、記録用のシャッターボタンが押下されたか否かを判定する。記録用のシャッターボタンが押下された（はい）と判断された場合にはステップＳ１１１に進み、記録用のシャッターボタンが押下されない（いいえ）と判断された場合にはステップＳ１０１に戻る。
【００４９】
ステップＳ１１１で撮像装置１００は、その状況にあった処理を行うため記録用のシャッターボタン押下時の処理を行う。なお、ステップＳ１１１で行う詳細な処理の流れを図７にて説明する。
図４を説明する。
【００５０】
図４は、本発明の実施形態を表すために撮像装置１００のシステム制御部１１２または図示しない撮像装置１００のＣＰＵが実行する第１の撮像手段（光学ズームレンズ）でのズーム操作を行う際に表示される画面の遷移（左図）と、その時の処理の流れを示すフローチャート（右図）である。
【００５１】
撮像装置１００は、第１の撮像手段で各ズーム操作が行われた場合（Ｓ２０１）、第２の撮像手段の映像中にある第１の撮像手段の境界枠３０２の大きさを更新するため、第１の撮像手段の境界枠３０２を再計算する（Ｓ２０３）。このときの計算方法は、図３におけるＳ１０２にて説明した計算方法と同じある。ズーム操作後の新たな境界枠３０２が計算された後、画面上の境界枠３０２を新しい範囲に更新する（Ｓ２０４）。各ズーム操作が行われたと判定される（Ｓ２０２：はい）毎に、境界枠３０２の再計算を行い、表示される境界枠３０２の更新を行う。第１の撮像手段でズーム操作を行う際には、画面に表示されている映像の全撮影範囲は変わらずに、第１の撮像手段の撮影範囲を表す枠の大きさのみが変化する。
【００５２】
（５）の表示画面の例では、テレ側にズームアップ操作を行った場合の画面表示を表す。画面に表示される映像では、第２の撮像手段の表示範囲３０３は拡大し、第１の撮像手段の表示範囲３０１は縮小する。つまり、光学ズームレンズへのズーム指示を受け付ける（第１の受付手段）と、テレ側への記ズーム指示を受け付けた場合には、表示制御手段が表示する１つの画面の中で、光学ズームレンズにより取得した一部の撮影領域内の映像が表示される領域を縮小して、デジタルズームレンズにより取得した一部の撮影領域外の映像が表示される領域を拡大して表示している（領域調整手段）。
【００５３】
（６）の表示画面の例では、ワイド側にズームダウン操作を行った場合の画面表示を表す。画面に表示される映像では、第２の撮像手段の表示範囲３０３は縮小し、第１の撮像手段の表示範囲３０１は拡大する。逆にワイド側へのズーム指示を受け付けた場合には、領域調整手段が、１つの画面の中で、光学ズームレンズにより取得した一部の撮影領域内の映像が表示される領域を拡大して、デジタルズームレンズにより取得した一部の撮影領域外の映像が表示される領域を縮小して表示している。
図５を説明する。
【００５４】
図５は、本発明の実施形態を表すために撮像装置１００のシステム制御部１１２または図示しない撮像装置１００のＣＰＵが実行する第２の撮像手段（デジタルズームレンズ）でのズーム操作を行う際に表示される画面の遷移（左図）と、その時の処理の流れを示すフローチャート（右図）である。
【００５５】
撮像装置１００は、第２の撮像手段でズーム操作が行われた場合（Ｓ３０１）、第２の撮像手段の映像中にある第１の撮像手段の境界枠３０２の大きさを更新するため、ＣＰＵは第１の撮像手段の境界枠３０２を再計算する（Ｓ３０３）。このときの計算方法は、図３におけるＳ１０２と同様の計算である。ズーム操作後の新たな境界枠３０２が計算された後、画面に表示する第２の撮像手段の撮影範囲を新しい範囲に更新する（Ｓ３０４）。撮影範囲を更新した後、画面上の第１の撮像手段の境界枠３０２を新しい範囲に更新する（Ｓ３０５）。ズーム操作が行われたと判定される（Ｓ３０２：はい）毎に、第２の撮像手段の撮影範囲の更新と第１の撮像手段の撮影範囲枠の再計算を行い、表示される境界枠３０２の更新を行う。第２の撮像手段でズーム操作を行う際には、画面に表示されている映像の撮影範囲と第１の撮像手段の撮影範囲枠の大きさが同時に変化する。第１の撮像手段のズーム量には変化はないため、実際に撮影される映像に変化はない。
【００５６】
（７）の表示画面の例では、ワイド側にズームダウン操作を行った場合の画面表示を表す。画面に表示される映像では、第２の撮像手段の表示範囲３０３は拡大し、第１の撮像手段の表示範囲３０１は縮小する
【００５７】
つまり、デジタルズームレンズへのズーム指示を受け付ける（第２の受付手段）と、第２の受付手段によりワイド側へのズーム指示を受け付けた場合には、領域調整手段が、１つの画面の中で、光学ズームレンズにより取得した一部の撮影領域内の映像が表示される領域を縮小して、デジタルズームレンズにより取得した一部の撮影領域外の映像が表示される領域を拡大して表示する。
【００５８】
（８）の表示画面の例では、テレ側にズームアップ操作を行った場合の画面表示を表す。画面に表示される映像では、第２の撮像手段の表示範囲３０３は拡大し、第１の撮像手段の表示範囲３０１は縮小する逆に、テレ側へのズーム指示を受け付けた場合には、領域調整手段が、１つの画面の中で、光学ズームレンズにより取得した一部の撮影領域内の映像が表示される領域を拡大して、デジタルズームレンズにより取得した一部の撮影領域外の映像が表示される領域を縮小して表示する。
【００５９】
図６は被写体枠３０４を変更する場合の操作例であり、従来機能により自動で被写体枠３０４が選択された場合には、画面へのタッチ操作で所望の被写体に被写体枠３０４を変更してもよく、十字キー等のボタン操作により、所望の被写体に被写体枠３０４を変更してもよい。
【００６０】
図７は、本発明の実施形態を表すために撮像装置１００のシステム制御部１１２または図示しない撮像装置１００のＣＰＵが実行するシャッターボタンが押下される際の処理の流れ示すフローチャートである。シャッターボタン押下時の処理では、まず現在動画撮影モードか否かを判定する（Ｓ４０１）。動画撮影モードでなかった場合には、第１の撮像手段の映像を記録して（Ｓ４０３）処理を終了する。動画撮影モードであった場合には、現在動画撮影が行われている最中か否かを判定する（Ｓ４０２）。動画撮影中でなかった場合には、ＣＰＵは第１の撮像手段の映像の記録を開始する（Ｓ４０４）。動画撮影中であった場合には、映像の記録を停止する（Ｓ４０５）。つまり、表示する映像の撮影指示を受け付けた（撮影指示受付手段）場合には、光学ズームレンズにより取得した一部の撮影領域内の映像を撮影して記録する（撮影手段）。なお、撮影指示により撮影して記録する映像は、静止画でもよく動画でもよい。
【００６１】
図８は、本発明の実施形態を表すために撮像装置１００のシステム制御部１１２または図示しない撮像装置１００のＣＰＵが実行する全体的な処理の流れ（第２の実施例）示すフローチャートである。第１の撮像手段の撮影範囲内に被写体を検知した際に映像の記録が開始されるよう、処理を変更したものである。
【００６２】
画面表示を行う前に、現在カメラがズームを使用中か否かを判定する（Ｓ５０１）。Ｓ５０１でズームが使用されていなかった場合には、表示画面に第１の撮像手段の映像を表示する（Ｓ５０５）。Ｓ５０１でズームが使用されていた場合には、第１の撮像手段の撮影範囲を計算する（Ｓ５０２）。現在の第１の撮像手段、第２の撮像手段それぞれのズーム量を取得し、それぞれの撮影範囲の総対比によって、第２の撮像手段の映像内における第１の撮像手段の撮影範囲を求める。第１の撮像手段の撮影範囲を求めた後、その撮影範囲内に被写体となるものが検知されるかどうかを判定する（Ｓ５０３）。被写体となるものが第１の撮像手段の撮影範囲内に検知された場合は、被写体捕捉時処理（Ｓ５０４）を行う。第１の撮像手段の撮影範囲に被写体となるものが検知されなかった場合、画面に第２の撮像手段の映像と、先ほど計算した第１の撮像手段の撮影範囲を表す境界枠３０２を表示する（Ｓ５０６）。第２の撮像手段の映像を表示した後、第２の撮像手段の範囲内に被写体となるものが検知されるかどうかを判定する（Ｓ５０７）。第２の撮像手段の撮影範囲内に被写体が検知された場合には、その被写体の周囲に被写体枠３０４を表示する（Ｓ５０８）。現在動画の記録中であるか否かを判定する（Ｓ５０９）、動画の記録中であった場合は、第１の撮像手段の映像を記録する（Ｓ５１０）。シャッターボタンが押されたか否かを判定する（Ｓ５１１）。シャッターボタンが押されていた場合は、その状況にあった処理を行うためシャッターボタン押下時の処理を行う（Ｓ５１２）。
【００６３】
図９は、本発明の実施形態を表すために撮像装置１００のシステム制御部１１２または図示しない撮像装置１００のＣＰＵが実行する被写体を捕捉した時に自動で撮影を開始する際の処理の流れ示すフローチャートである。被写体捕捉時処理では、まず現在動画撮影モードであるか否かを判定する（Ｓ６０１）。動画撮影モードでなかった場合には、第１の撮像手段の映像を記録して（Ｓ６０３）処理を終了する。動画撮影モードであった場合には、現在動画撮影が行われているか否かを判定する（Ｓ６０２）。動画撮影中でなかった場合には、第１の撮像手段の映像の記録を開始する（Ｓ６０４）。
【００６４】
また、本発明におけるプログラムは、図３、図４、図５、図７、図８、図９に示すフローチャートの処理方法を撮像装置１００が実行可能なプログラムであり、本発明の記憶媒体は図３、図４、図５、図７、図８、図９の処理方法を撮像装置１００が読み取り実行可能なプログラムとして、撮像装置１００のＲＯＭに記憶されている。
【００６５】
以上のように、前述した実施形態の機能を実現するプログラムを記録した記録媒体を、撮像システムあるいは撮像装置に供給し、そのシステムあるいは装置の制御コンピュータ（またはＣＰＵやＭＰＵ）が記録媒体に格納されたプログラムを読出し実行することによっても、本発明の目的が達成されることは言うまでもない。
【００６６】
この場合、記録媒体から読み出されたプログラム自体が本発明の新規な機能を実現することになり、そのプログラムを記憶した記録媒体は本発明を構成することになる。
【００６７】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００６８】
また、コンピュータが読み出したプログラムを実行することにより、前述した実施形態の機能が実現されるだけでなく、そのプログラムの指示に基づき、制御コンピュータ上で稼働しているＯＳ（オペレーティングシステム）等が実際の処理の一部または全部を行い、その処理によって前述した実施形態の機能が実現される場合も含まれることは言うまでもない。
【００６９】
さらに、記録媒体から読み出されたプログラムが、制御コンピュータに挿入された機能拡張ボードや制御コンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７０】
また、本発明は、撮像装置と表示装置とを分けた複数の機器から構成される撮像システムに適用してもよく、１つの機器からなる撮像装置に適用してもよい。また、本発明は、撮像システムあるいは撮像装置にプログラムを供給することによって達成される場合にも適応できることは言うまでもない。この場合、本発明を達成するためのプログラムを格納した記録媒体を該撮像システムあるいは撮像装置に読み出すことによって、その撮像システムあるいは撮像装置が、本発明の効果を享受することが可能となる。
【００７１】
さらに、本発明を達成するためのプログラムをネットワーク上のサーバ，データベース等から通信プログラムによりダウンロードして読み出すことによって、その撮像システムあるいは撮像装置が、本発明の効果を享受することが可能となる。
なお、上述した各実施形態およびその変形例を組み合わせた構成も全て本発明に含まれるものである。
【符号の説明】
【００７２】
１００  撮像装置（一眼レフデジタルカメラ）
【図１】
2016066978.tif 000003
【図２】
2016066978.tif 000004
【図３】
2016066978.tif 000005
【図４】
2016066978.tif 000006
【図５】
2016066978.tif 000007
【図６】
2016066978.tif 000008
【図７】
2016066978.tif 000009
【図８】
2016066978.tif 000010
【図９】
2016066978.tif 000011